(57)【要約】【課題】  噴砂ヘッドに進入する砂の流速だけでなく流量も調節することができ、使用者の皮膚の状態にきめ細かく対応することが可能な噴砂皮膚研磨機の提供。【解決手段】  清浄な砂を貯蔵する貯砂チャンバ１７と、開口部を有する噴砂ヘッド３と、使用後の砂を貯蔵する回収砂チャンバ１８とを砂流動経路によって接続し、砂を貯砂チャンバ１７から噴砂ヘッド３の開口部を通過して回収砂チャンバ１８に至るよう砂流動経路内において流動させる吸引ポンプを設け、貯砂チャンバ１７から噴砂ヘッド３に至る砂流動経路に、噴砂ヘッド３へ進入する砂の流量を調節する砂量コントローラを設置する。【選択図】          図１
0003115685.tif 000002
【実用新案登録請求の範囲】
【請求項１】
清浄な砂を貯蔵する貯砂チャンバと、開口部を有する噴砂ヘッドと、使用後の砂を貯蔵する回収砂チャンバとを砂流動経路によって接続し、砂を前記貯砂チャンバから前記噴砂ヘッドの開口部を通過して前記回収砂チャンバに至るよう前記砂流動経路内において流動させる吸引ポンプを設け、前記貯砂チャンバから噴砂ヘッドに至る砂流動経路に、前記噴砂ヘッドへ進入する砂の流量を調節する砂量コントローラを設置したことを特徴とする噴砂皮膚研磨機。
【請求項２】
前記砂量コントローラは、内部に前記砂流動経路の一部を設けたコントローラ本体と、該コントローラ本体内の砂流動経路へ通ずる砂進入路の口径を制御する制御部材とを有する請求項１に記載の噴砂皮膚研磨機。
【請求項３】
前記制御部材は、管壁に切欠き部を有する回動可能な中空軸管より成り、該中空軸管を前記コントローラ本体内の砂流動経路へ接続し、前記切欠き部を前記貯砂チャンバへ連絡して前記砂進入路とし、前記中空軸管を回動することにより前記切欠き部を回転させて、前記砂進入路の口径を制御する請求項２に記載の噴砂皮膚研磨機。
【請求項４】
前記中空軸管の切欠き部が、管壁の周方向に沿って形成された請求項３に記載の噴砂皮膚研磨機。
【請求項５】
前記中空軸管の管壁に外気を導入する吸気孔を形成した請求項３又は４に記載の噴砂皮膚研磨機。
【請求項６】
前記中空軸管を径方向に貫通する位置決め棒と、該位置決め棒に当接することにより、前記中空軸管の正逆方向への回動範囲を規制する２本のストッパとを設けた請求項３〜５のいずれかに記載の噴砂皮膚研磨機。
【請求項７】
前記貯砂チャンバ内に砂導入部を設置し、該砂導入部に入砂孔を形成すると共に、該入砂孔と前記コントローラ本体内の砂流動経路とを砂供給路によって接続し、前記砂導入部に、前記砂供給路へ外気を導入する吸気路を設けた請求項２〜６のいずれかに記載の噴砂皮膚研磨機。
【考案の詳細な説明】
【技術分野】
【０００１】
本考案は、流動する砂によって皮膚を研磨する噴砂皮膚研磨機に関する。
【背景技術】
【０００２】
細かい研磨顆粒を利用して皮膚表面を摩擦し、古くなった細胞や汚れを落とし、皮膚の新陳代謝を高める美肌機は、すでに使用されている。このような美肌機は、化学薬品を用いずに皮膚表層の汚れを除去するため、副作用もない。
上記美肌機は、貯砂ボトルと砂回収ボトルとを砂経路で接続すると共に、真空ポンプの吸引力によって砂経路内に研磨砂を流動させ、砂が砂経路内を流動する時に、手入れ用ヘッドの一端に設けた開口部を通過して、開口部が接触している皮膚表層に対して研磨を行うようになっている。
【０００３】
そして、真空ポンプの吸引力を変えることにより、肌質や皮膚の状態に応じて砂の流速を変更し、皮膚への摩擦力を強くしたり弱くしたりできるようになっている。
しかし、皮膚表層に対する摩擦力には、砂の流量も影響するため、砂の流量を変えるだけでは、肌質等に応じてきめ細かに摩擦力を調節し、十分な美容効果をあげることは難しかった。
【考案の開示】
【考案が解決しようとする課題】
【０００４】
本考案は、噴砂ヘッドに進入する砂の流速だけでなく流量も調節することができ、使用者の皮膚の状態にきめ細かく対応することが可能な噴砂皮膚研磨機の提供を目的とする。
【課題を解決するための手段】
【０００５】
本考案の噴砂皮膚研磨機は、清浄な砂を貯蔵する貯砂チャンバと、開口部を有する噴砂ヘッドと、使用後の砂を貯蔵する回収砂チャンバとを砂流動経路によって接続し、砂を前記貯砂チャンバから前記噴砂ヘッドの開口部を通過して前記回収砂チャンバに至るよう前記砂流動経路内において流動させる吸引ポンプを設け、前記貯砂チャンバから噴砂ヘッドに至る砂流動経路に、前記噴砂ヘッドへ進入する砂の流量を調節する砂量コントローラを設置してある。
【０００６】
以下の構成を採用しても良い。
前記砂量コントローラは、内部に前記砂流動経路の一部を設けたコントローラ本体と、該コントローラ本体内の砂流動経路へ通ずる砂進入路の口径を制御する制御部材とを有する構成。
前記制御部材は、管壁に切欠き部を有する回動可能な中空軸管より成り、該中空軸管を前記コントローラ本体内の砂流動経路へ接続し、前記切欠き部を前記貯砂チャンバへ連絡して前記砂進入路とし、前記中空軸管を回動することにより前記切欠き部を回転させて、前記砂進入路の口径を制御する構成。
【０００７】
前記中空軸管の切欠き部が、管壁の周方向に沿って形成された構成。
前記中空軸管の管壁に外気を導入する吸気孔を形成した構成。
前記中空軸管を径方向に貫通する位置決め棒と、該位置決め棒に当接することにより、前記中空軸管の正逆方向への回動範囲を規制する２本のストッパとを設けた構成。
前記貯砂チャンバ内に砂導入部を設置し、該砂導入部に入砂孔を形成すると共に、該入砂孔と前記コントローラ本体内の砂流動経路とを砂供給路によって接続し、前記砂導入部に、前記砂供給路へ外気を導入する吸気路を設けた構成。
【考案の効果】
【０００８】
本考案によれば、吸引ポンプの吸引力を調節して、噴砂ヘッドの開口部を通過する砂の流量を変えることができるだけでなく、砂量コントローラによって砂の流量も調節できるので、使用者の皮膚の状態に合わせてきめ細かく摩擦の強さを変え、最適な美容効果を発揮することが可能となる。
【考案を実施するための最良の形態】
【０００９】
以下、本考案の実施例を図面に基づいて詳細に説明する。
図１及び図２に示すように、本考案の噴砂皮膚研磨機は、外殻１と、貯砂チャンバ１７と、回収砂チャンバ１８と、噴砂ヘッド３と、外殻１内に設置された真空吸引ポンプ２１及び濾過チャンバ２２とを備える。
外殻１の前面一側には傾斜パネル１０を設け、傾斜パネル１０の表面に、圧力ゲージ１１及び真空吸引ポンプ２１の吸引力を調節するための吸引力調整つまみ１２が設置されている。また、外殻１の前面下部には、砂出口コネクタ１３、砂回収コネクタ１４及び砂流量調節つまみ１５が設けられる。
【００１０】
外殻１の前面他側には平台１６が設けられ、平台１６上に貯砂チャンバ１７及び回収砂チャンバ１８が設置される。
貯砂チャンバ１７及び回収砂チャンバ１８は、透明材料を一体成型したものであって、内部を見ることができるようになっている。
また、貯砂チャンバ１７の底部には漏斗状の凹部１７１が形成され、凹部１７１の中央に形成した貫通孔へ砂導入部４２が設置されるようになっている。
【００１１】
回収砂チャンバ１８の内部には、砂排出管１８１と排気管１８２とが設置される。砂排出管１８１及び排気管１８２の上端は回収砂チャンバ１８内へ露出し、排気管１８２の上端にはフィルタ１８３が装着されている。
そして、砂排出管１８１の上端からは使用後の汚れた砂が回収砂チャンバ１８内へ導入され、排気管１８２の下端からは回収砂チャンバ１８内の空気が排出される。回収砂チャンバ１８内へ導入された砂は、フィルタ１８３で濾過されて回収砂チャンバ１８内にたまる。
【００１２】
噴砂ヘッド３の一端には図示しない開口部が形成され、噴砂ヘッド３の他端から延びる２本のチューブがそれぞれ外殻１の砂出口コネクタ１３及び砂回収コネクタ１４へ接続される。
貯砂チャンバ１７、噴砂ヘッド３及び回収砂チャンバ１８は砂流動経路によって接続され、砂流動経路の下流には、濾過チャンバ２２を介して真空吸引ポンプ２１が接続されている。そして、真空吸引ポンプ２１を作動させると、貯砂チャンバ１７の砂が、砂出口コネクタ１３、噴砂ヘッド３の開口部、及び砂回収コネクタ１４をこの順に通り、回収砂チャンバ１８に至るよう砂流動経路内を流動する。
【００１３】
排気管１８２を通して回収砂チャンバ１８から排出された空気は、濾過チャンバ２２を通過して真空吸引ポンプ２１により外部へ放出される。排気管１８２から排出される空気に、回収砂チャンバ１８のフィルタ１８３で濾過しきれなかったわずかな砂が混入していても、この砂は濾過チャンバ２２で濾過される。
また、砂流動経路上において、貯砂チャンバ１７と噴砂ヘッド３との間には、図３に示すように、噴砂ヘッド３へ進入する砂の流量を調節する砂量コントローラ４が設置される。
砂量コントローラ４は、外殻１内に設置され、内部に砂流動経路の一部を設けたコントローラ本体４１と、コントローラ本体４１内の砂流動経路へ通ずる砂進入路の口径を制御する制御部材とを有する。
【００１４】
コントローラ本体４１は、プラスチックで成型された箱体より成り、その内部には砂流動経路の一部を構成する縦管４１１及び横管４１２が形成されている。
横管４１２の一端はコントローラ本体４１の外部に開口し、縦管４１１は横管４１２の一端寄りから上方へ延びている。
また、横管４１２の他端は、コントローラ本体４１の外部へ開口した接続管４４に接続され、接続管４４は砂供給コネクタ４５に接続される。砂供給コネクタ４５は、砂出口コネクタ１３を介して噴砂ヘッド３に接続される。
【００１５】
縦管４１１の上端は螺子孔４１３の下端に通じ、螺子孔４１３の側面には外気取り込み孔４１３１が形成されている。
螺子孔４１３には、砂導入部４２の下部に形成した雄螺子部４２２が螺合される。雄螺子部４２２の側面には、螺子孔４１３の外気取り込み孔４１３１と対応する外気進入孔４２６が形成される。
砂導入部４２の上部は貯砂チャンバ１７の底部に挿入され、その上端をキャップ４２４で被覆してある。また、砂導入部４２の上端部の貯砂チャンバ１７内に挿入された部分には入砂孔４２５が形成される。
【００１６】
図４及び図５に示すように、砂導入部４２の内部には、入砂孔４２５から下方に向けて砂供給路４２１が形成されるとともに、外気進入孔４２６から入砂孔４２５に向けて、砂供給路４２１へ外気を導入する吸気路４２３が形成される。
そして、砂導入部４２の雄螺子部４２２を螺子孔４１３に螺合すると、砂供給路４２１の下端がコントローラ本体４１の縦管４１１へ接続され、砂導入部４２の外気進入孔４２６がコントローラ本体４１の外気取り込み孔４１３１と合致する。
【００１７】
図３に示すように、制御部材は、耐磨耗性を有する金属等を素材とする回動可能な中空軸管４６より成る。中空軸管４６の一端寄りには、内部の流路４６１に通ずる吸気孔４６４が形成され、吸気孔４６４の外面はスポンジ等のフィルタ４８で被覆されている。
また、中空軸管４６の中間部には、管壁を流路４６１が露出するように周方向に切り欠いた切欠き部４６３が形成される。
さらに、中空管軸４６の一端寄りには、中空軸管４６の径方向に沿って貫通孔４６２が形成され、この貫通孔４６２に位置決め棒４７を両端が突出するよう挿通してある。
【００１８】
中空軸管４６の他端部外周には環状溝４６５が形成される。そして、中空軸管４６の他端部をコントローラ本体４１の横管４１２に挿入し、コントローラ本体４１に形成した挿入孔４１４へ差し込んだピン４１５の先端を環状溝４６５へ係止することにより、中空軸管４６が軸方向へ移動しないよう位置決めされる。
また、中空軸管４６の一端には、外殻１の前面に露出した砂流量調節つまみ１５が取り付けられ、砂流量調節つまみ１５を回転操作することにより、中空軸管４６が回動するようになっている。
【００１９】
コントローラ本体４１の横管４１２を挟んだ両側には、２本の棒状のストッパ４３１，４３２が横管４１２と平行に設置される。中空軸管４６が正逆方向に一定角度回転すると、位置決め棒４７の端部がストッパ４３１，４３２に当接して、中空軸管４６の正逆方向への回転を規制する。
中空軸管４６を横管４１２に挿入して位置決めすると、切欠き部４６３が縦管４１１及び砂導入部４２を介して貯砂チャンバ１７の内部に連絡され、切欠き部４６３は砂流動経路への砂進入路となる。
【００２０】
そして、中空軸管４６を回動させることにより、砂進入路の口径、すなわち、切欠き部４６３において縦管４１１の下端と一致する部分の面積を制御することができる。
なお、砂進入路の口径の可変量は、ストッパ４３１，４３２の位置によって決定され、図４に示すように、縦管４１１の断面積の全てを切欠き部４６３と一致させることもでき、図５に示すように、縦管４１１の断面積を全て塞ぐことも可能である。
【００２１】
この噴砂皮膚研磨機を用いるには、貯砂チャンバ１７内に清浄な砂を収納し、噴砂ヘッド３の開口部を皮膚に当接させて、真空吸引ポンプ２１を作動させる。
すると、真空吸引ポンプに吸引されて、砂導入部４２の外気進入孔４２６から外気が進入すると共に、中空軸管４６の吸気孔４６４からフィルタ４８で濾過された外気が進入する。
砂導入部４２から進入した空気は吸気路４２３を通して砂供給路４２１へ流入する。この時、貯砂チャンバ１７内の砂が入砂孔４２５から砂供給路４２１へ引き込まれる。
【００２２】
砂供給路４２１へ引き込まれた砂は、縦管４１１から切欠き部４６３を通して横管４１２へ進入する。この砂は、外気進入孔４２６及び吸気孔４６４から吸引された外気と共に砂流動経路を流動し、砂供給コネクタ４５及び砂出口コネクタ１３から噴砂ヘッド３へ送られ、さらに噴砂ヘッド３の開口部を通過して、砂回収コネクタ１４から回収砂チャンバ１８へ至る。
そして、噴砂ヘッド３の開口部を通過する際に、当接している皮膚を摩擦する。また、噴砂ヘッド３へ進入する砂量は、中空軸管４６を回動させて砂進入路の口径を変えることにより、適宜調節できる。
【００２３】
砂排出管１８１から回収砂チャンバ１８内へ導入された使用後の砂は、フィルタ１８３で濾過されて回収砂チャンバ１８内にたまる。回収砂チャンバ１８内にたまった砂は、皮膚摩擦が終了してから廃棄する。
また、排気管１８２の下端から吸引された空気は、濾過チャンバ２２を通過して濾過された後、真空吸引ポンプ２１によって外部へ排出される。
さらに、砂の流速は、吸引力調節つまみ１２を操作することにより、真空吸引ポンプ２１の吸引力を変えて調節できる。
【００２４】
このように、皮膚を研磨する砂の流速のみならず、砂の流量も皮膚の状態に応じて調節できるので、最適な美容効果を発揮することが可能である。
また、砂流量調節つまみ１５を操作して中空軸管を回動させるだけで、簡単に砂の流量を調節できる。
さらに、外気進入孔４２６から吸引された外気と、吸気孔４６４から吸引された外気によって、貯砂チャンバ１７内の砂は迅速、且つ、円滑に噴砂ヘッド３へ進入し、さらに回収砂チャンバ１８へ送られる。
【図面の簡単な説明】
【００２５】
【図１】本考案の実施例を示す噴砂皮膚研磨機の斜視図。
【図２】本考案の実施例を示す噴砂皮膚研磨機の分解斜視図。
【図３】本考案の実施例に係る砂量コントローラの分解斜視図。
【図４】砂量コントローラの縦管開放時における断面図。
【図５】砂量コントローラの縦管閉鎖時における断面図。
【符号の説明】
【００２６】
１  外殻
１０  傾斜パネル
１１  圧力ゲージ
１２  吸引力調節つまみ
１３  砂出口コネクタ
１４  砂回収コネクタ
１５  砂流量調節つまみ
１６  平台
１７  貯砂チャンバ
１７１  凹部
１８  回収砂チャンバ
１８１  砂排出管
１８２  排気管
１８３  フィルタ
２１  真空吸引ポンプ
２２  濾過チャンバ
３  噴砂ヘッド
４  砂量コントローラ
４１  コントローラ本体
４１１  縦管
４１２  横管
４１３  螺子孔
４１３１  外気取り込み孔
４１４  挿入孔
４１５  ピン
４２  砂導入部
４２１  砂供給路
４２２  雄螺子部
４２３  吸気路
４２４  キャップ
４２５  入砂孔
４２６  外気進入孔
４３１，４３２  ストッパ
４４  接続管
４５  砂供給コネクタ
４６  中空軸管
４６１  流路
４６２  貫通孔
４６３  切欠き部
４６４  吸気孔
４６５  環状溝
４７  位置決め棒
４８  フィルタ
【図１】
0003115685.tif 000003
【図２】
0003115685.tif 000004
【図３】
0003115685.tif 000005
【図４】
0003115685.tif 000006
【図５】
0003115685.tif 000007